(57)【特許請求の範囲】
【請求項１】
内側の取付部（１）の外周側にゴム状弾性材製の弾性体（７）を介して外側の取付部（３）を接続し、前記弾性体（７）によって区画した複数の液室（８）（９）をオリフィス（１０）を介して互いに連通し、前記液室（８）（９）に作動液（１１）を封入した液体封入式ブッシュにおいて、前記内側の取付部（１）に一の前記液室（９）内に配置されるとともに振動入力方向に突出したストッパ部（２ｃ）を設け、前記外側の取付部（３）に前記ストッパ部（２ｃ）と前記振動入力方向に対向する間隙調整部材（１３）を設け、前記ストッパ部（２ｃ）と前記間隙調整部材（１３）の間の間隙（１４）を第二オリフィス（１５）とし、前記間隙調整部材（１３）を前記ストッパ部（２ｃ）に向けて進退可能として前記間隙（１４）の大きさ（Ｇ）を変化させることにより前記第二オリフィス（１５）のオリフィス特性を可変としたことを特徴とする液体封入式ブッシュ。
【発明の詳細な説明】
【０００１】
【発明の属する技術分野】
本発明は、自動車等において、防振装置ないし防振支持装置として用いられる液体封入式ブッシュに関する。本発明の液体封入式ブッシュは、特に自動車のエンジンマウントとして多用される。
【０００２】
【従来の技術】
従来から、内側の取付部の外周側にゴム状弾性材製の弾性体を介して外側の取付部を接続し、前記弾性体によって区画した複数の液室をオリフィスを介して互いに連通し、前記液室に作動液を封入した液体封入式ブッシュが知られているが、従来の液体封入式ブッシュにおいては、複数の液室を互いに連通させるオリフィスが一本設けられているに過ぎない。したがってこのオリフィスが低周波振動を減衰させるように設定されている場合には、高周波振動を吸収抑制することができず、これに対して、低周波振動と高周波振動の双方を吸収抑制することが可能な製品が求められている。また特公平５−５５７３９号公報に掲載されているように、高周波振動を吸収抑制すべく高周波デバイスを設けた液体封入式ブッシュが開発されているが、この液体封入式ブッシュによると、高周波デバイスの共振周波数が製品毎に一定であって不変とされているために、設定と異なる周波数の高周波振動を吸収抑制することができない問題がある。
【０００３】
【発明が解決しようとする課題】
本発明は以上の点に鑑み、低周波振動を減衰させるオリフィスの他に高周波振動を吸収抑制する第二オリフィスを備え、しかもこの第二オリフィスのオリフィス特性が可変とされていて、広い周波数領域に亙って高周波振動を吸収抑制することが可能な液体封入式ブッシュを提供することを目的とする。
【０００４】
【課題を解決するための手段】
上記目的を達成するため、本発明の液体封入式ブッシュは、内側の取付部の外周側にゴム状弾性材製の弾性体を介して外側の取付部を接続し、前記弾性体によって区画した複数の液室をオリフィスを介して互いに連通し、前記液室に作動液を封入した液体封入式ブッシュにおいて、前記内側の取付部に一の前記液室内に配置されるとともに振動入力方向に突出したストッパ部を設け、前記外側の取付部に前記ストッパ部と前記振動入力方向に対向する間隙調整部材を設け、前記ストッパ部と前記間隙調整部材の間の間隙を第二オリフィスとし、前記間隙調整部材を前記ストッパ部に向けて進退可能として前記間隙の大きさを変化させることにより前記第二オリフィスのオリフィス特性を可変とすることにした。
【０００５】
【作用】
上記構成を備えた本発明の液体封入式ブッシュに対して低周波振動が入力した場合には「オリフィス」がこれを減衰させ、高周波振動が入力した場合には「第二オリフィス」がこれを吸収抑制し、しかも間隙調整部材がストッパ部に向けて進退可能とされていて第二オリフィスのオリフィス特性が可変とされているために、この可変の範囲内で、異なる周波数の高周波振動を吸収抑制することが可能である。
【０００６】
【発明の実施の形態】
第二オリフィスのオリフィス特性を入力振動の周波数に合わせるために、本発明の液体封入式ブッシュに対して、センサ、コントローラおよび駆動機構が併用される。すなわち、入力振動を計測するセンサと、このセンサからの信号入力によって最適な間隙の大きさを決定し、これに合わせて間隙調整部材の変位量を決定するコントローラと、このコントローラの指示にしたがって間隙調整部材を実際に往復動させるエアシリンダ等の駆動機構とである。
【０００７】
【実施例】
つぎに本発明の実施例を図面にしたがって説明する。
【０００８】
図１および図２に示すように、内筒２を備えた内側（内周側）の取付部１の外周側に、ケース４、外筒５およびブラケット６を備えた外側（外周側）の取付部３が配置されており、内筒２とケース４とがゴム状弾性材製の弾性体７を介して互いに接続され、ケース４の外周側に、ブラケット６と一体化された外筒５が嵌着されている。
【０００９】
内筒２は、取付孔２ａを備えて基本的に筒状に成形されているが、その外周面の軸方向中央部に、主たる振動入力方向である図上上下方向に向けて凸状を呈する一対のストッパ部２ｂ，２ｃが一体に突設されている。弾性体７は、内筒２とケース４とを接続する他に、当該ブッシュの内部に第一液室８および第二液室９を画成する役割を果たしており、これらのために、略ハの字状に配置された一対の脚部（ゴム脚部とも称する）７ａ、ダイアフラム部７ｂおよび軸方向一対の壁部（ゴム壁部とも称する）７ｃが一体に備えられ、更に、内筒２に被覆された被覆部７ｄ、およびストッパ部２ｂ，２ｃの先端部に被覆された緩衝部７ｅ，７ｆ等が一体に備えられて一体に加硫成形されている。ケース４は、その軸方向両端部にそれぞれ環状部４ａ，４ｂを備えており、この軸方向一対の環状部４ａ，４ｂが図１に符号４ｃで示した一対の断面略円弧状の構成部分で互いに一体に接続され、一方（図２において左側）の環状部２ａが断面略コの字状に成形され、このコの字の内側にオリフィス１０が設けられ、このオリフィス１０が第一液室８と第二液室９とを互いに連通させ、両室８，９に粘性流体等の作動液（内封液とも称する）１１が封入されている。符号１０ａがオリフィス１０の第一液室８側の開口部、１０ｂが第二液室９側の開口部である。また符号１２は、すぐり部である。
【００１０】
ブラケット６に、第二液室９に面して収容凹部６ａが設けられており、この収容凹部６ａに、第二液室９内に配置されたストッパ部２ｃと対向するピストン状の間隙調整部材（ギャップ調整部材とも称する）１３が収容され、先端部に緩衝部７ｆを被覆されたこのストッパ部２ｃと間隙調整部材１３の間の間隙（ギャップとも称する）１４が第二オリフィス１５とされ、間隙調整部材１３がストッパ部２ｃに向けて進退可能とされていて第二オリフィス１５のオリフィス特性が可変とされている。間隙調整部材１３の進退は、同じくブラケット６内に収容されたエアシリンダ等の駆動機構（駆動装置とも称する）１６の作動によって行なわれ、すなわち駆動機構１６の作動ロッド１６ａが突出動作すると、間隙調整部材１３が上昇して間隙１４の大きさＧが狭められ、反対に駆動機構１６の作動ロッド１６ａが没入動作すると、間隙調整部材１３が下降して間隙１４の大きさＧが拡げられる。符号１７は入力振動を計測するセンサ、符号１８はセンサ１７からの信号入力によって最適な間隙１４の大きさＧを決定し、これに合わせて間隙調整部材１３の変位量を決定するコントローラであって、このコントローラ１８の指示にしたがって駆動機構１６が間隙調整部材１３を往復動させる。
【００１１】
上記構成を備えた液体封入式ブッシュは、例えば内側の取付部１および外側の取付部３の何れか一方をもって自動車の車体側に取り付けられるとともに他方をもってエンジン側に取り付けられてこのエンジンを防振支持するもので、当該ブッシュに低周波大振幅の振動が入力した場合には、弾性体７の脚部７ａが備えている弾性と、オリフィス１０を流れる作動液１１の流動抵抗ないし液柱共振とによってこの振動を有効に減衰させる。また当該ブッシュに、予め定められた特定の周波数の高周波小振幅の振動が入力した場合には、図１に矢印で示すように、作動液１１が第二オリフィス１５に出入りして共振するために、当該ブッシュの絶対ばね定数が低く抑えられ、これによりこの高周波小振幅の振動を有効に吸収抑制することができる。作動液１１が第二オリフィス１５に出入りすると、これに伴って弾性体７の壁部７ｃが膨張収縮を繰り返す。
【００１２】
また車速またはエンジンの回転数が変化する等して、異なる周波数の高周波小振幅の振動が生起すると、センサ１７がその周波数や振幅を計測し、これをコントローラ１８が演算し、このコントローラ１８の指示にしたがって駆動機構１６が間隙調整部材１３を上昇または下降させてストッパ部２ｃと間隙調整部材１３の間の間隙１４の大きさＧを変化させ、第二オリフィス１５のオリフィス特性ないし共振周波数をこの振動に合うように変化させる。したがってこの状態で当該ブッシュがこの新たな高周波小振幅の振動を受けるために、この新たな高周波小振幅の振動を有効に吸収抑制することができる。したがってこれらのことから広い周波数領域に亙って高周波小振幅の振動を有効に吸収抑制することができ、優れた減衰特性ないし防振性能を発揮する液体封入式ブッシュを提供することができる。
【００１３】
【発明の効果】
本発明は、以下の効果を奏する。
【００１４】
すなわち、上記構成を備えた本発明の液体封入式ブッシュにおいては、当該ブッシュに低周波振動が入力した場合には「オリフィス」がこれを減衰させ、高周波振動が入力した場合には「第二オリフィス」がこれを吸収抑制し、しかも間隙調整部材がストッパ部に向けて進退可能とされていて間隙調整部材およびストッパ部間の間隙の大きさを変化させることにより第二オリフィスのオリフィス特性が可変とされているために、この可変の範囲内で、異なる周波数の高周波振動を吸収抑制することができる。したがってこれらのことから広い周波数領域に亙って高周波振動を有効に吸収抑制することができ、優れた減衰特性ないし防振性能を発揮する液体封入式ブッシュを提供することができる。
【図面の簡単な説明】
【図１】本発明の実施例に係る液体封入式ブッシュの正面断面図
【図２】同液体封入式ブッシュの側面断面図
【符号の説明】
１  内側の取付部
２  内筒
２ａ  取付孔
２ｂ，２ｃ  ストッパ部
３  外側の取付部
４  ケース
５  外筒
６  ブラケット
６ａ  収容凹部
７  弾性体
７ａ  脚部
７ｂ  ダイアフラム部
７ｃ  壁部
７ｄ  被覆部
７ｅ，７ｆ  緩衝部
８  第一液室
９  第二液室
１０  オリフィス
１０ａ，１０ｂ  開口部
１１  作動液
１２  すぐり部
１３  間隙調整部材
１４  間隙
１５  第二オリフィス
１６  駆動機構
１６ａ  作動ロッド
１７  センサ
１８  コントローラ
【図１】
0003714368.tif 000002
【図２】
0003714368.tif 000003